(57)【要約】【課題】  上下水道機器管理装置分野における監視通報システムにおいて、監視通報端末が設置された場所が公衆回線以外は利用出来ない回線条件であっても、公衆回線を用いてスマートフォン等のダイヤルアップ機能を持たない端末へと迅速に監視情報を通報する監視通報システムを提供する。【解決手段】  公衆回線を用いた監視通報システムにおいて、音声信号によるデータ伝送を行うアプリケーションを設けることで監視情報を提供する。また、携帯電話やスマートフォン間で監視情報を共有する機能を用意することで、通報先への迅速な通報を実施する。【選択図】図1
2016225676.tif 000002
【特許請求の範囲】
【請求項１】
監視対象機器からのデータをＤＴＭＦ形式の通報伝文に変換し、公衆回線にて送信する監視通報装置と、
音声信号によるデータ伝送を行うアプリケーションを有し、ダイヤルアップ接続機能を持たない移動通信端末と、を備えた監視通報システムであって、
前記移動通信端末は、前記監視通報装置から送信されるＤＴＭＦ形式の通報伝文を携帯電話回線にて受信し、前記アプリケーションにてＤＴＭＦ形式の通報伝文を解析することで前記監視対象機器からのデータを取得することを特徴とする監視通報システム。
【請求項２】
請求項１に記載の監視通報システムにおいて、
前記アプリケーションは、解析した通報伝文を予め登録した他の通信端末に送信する機能を備えることを特徴とする監視通報システム。
【発明の詳細な説明】
【技術分野】
【０００１】
上下水道機器等の監視対象機器におけるデータを遠隔地から監視する監視通報システムに関する。
【背景技術】
【０００２】
従来から、現場に設置した監視通報装置に監視対象のデータを取り込んで、通信で遠隔地に監視対象の状態を転送して表示する監視通報システムが知られている。例えば、上下水道の給水、配水設備や、産業用の生産設備、販売データ収集設備等を遠隔監視や制御を行う監視装置に対してデータの転送及び利用者に対して警報通報を行う監視通報システムがある。
【０００３】
このような監視通報システムでは、通信コスト低減を図るため、常時通信回線ではなく公衆電話回線などの、通信時のみ回線接続を行う都度通信回線を使用する場合も多い。
【０００４】
都度通信回線を使用する監視通報システムは、現場で異常が発生したときや外部からのアクセスが有ったときのみ通信機能を有効にして、現場の状況や収集しているデータを監視通報装置に伝送を行ったり、利用者に対して通知を行う。ＡＤＳＬなどのネットワーク回線サービスが提供される以前から、公衆回線を利用してその都度通信を行う監視システムが知られている。
【０００５】
また、公衆電話回線の他に新たに携帯電話回線を利用した監視通報システムも存在する。携帯電話回線は電波を利用するため他の通信回線と異なり、現場に電話線などの固定の通信線を施設する必要が無いため導入が非常に容易であることと、車載の設備のような移動体での通信が可能なことや、通信費が一般に固定回線よりも安価な場合があるため、近年需要が拡大している。
【０００６】
本技術分野の背景技術として、特開２０００−２８６９９８号公報（特許文献１）がある。特許文献１には、監視対象機器を備えた各設備に、通報データを形成して出力する制御監視機器と、制御監視機器の出力データを符号化して送信するモデムを設け、公衆回線を使用して、専用管理装置を介して保守作業者に対して通報を行う遠隔監視設備が記載されている。
【０００７】
現在は、安価なネットワーク回線サービスの普及により公衆回線を利用した監視システムの需要は減少している。しかし、音声による通報機能は利用者の携帯電話に直接通報を行えること。また、例えば上下水道の給水、配水設備等のような設備は山奥などに設置されていることも多く、常時通信回線や携帯電話回線の提供範囲外であることも少なくないこと。このようなことから、公衆回線を用いた都度通信による監視通報システムは、現在でも市場から一定の需要を得ている。
【先行技術文献】
【特許文献】
【０００８】
【特許文献１】特開２０００−２８６９９８号公報
【発明の概要】
【発明が解決しようとする課題】
【０００９】
上記のように、公衆回線を用いた監視通報システムは、他の回線を使用できないような場所に設置された設備における監視通報を行うために有効である。一般的に公衆回線を用いた監視通報機能は、音声通報、又はダイヤルアップ接続によるデータ通報により行われる。一般的にデータ通報を用いた監視通報システムにおいては、監視通報端末または通報を受信する側の機器に監視情報を蓄積することで、音声通報よりも多くの情報を利用者が取得する事が出来るメリットがある。
【００１０】
しかし、ダイヤルアップによるデータ通信を実施するには、発信側と受信側の双方の機器がアナログモデムを備えている必要がある。サーバ装置やPCを受信側の機器とした監視通報システムにおいては、受信側の機器にアナログモデムを備えることは容易であることから、ダイヤルアップによるデータ通信による監視通報を行うことが出来る。
【００１１】
しかし、携帯電話やスマートフォンなどの移動通信端末を受信側の機器として使用する場合、これらの機器は常時接続回線によるデータ通信を前提としているため、受信側の機器にアナログモデムを備えることは困難であり、ダイヤルアップによるデータ通信を用いた監視通報を行うことが出来ない。
【課題を解決するための手段】
【００１２】
上記課題を解決するために、例えば特許請求の範囲に記載の構成を採用する。本願は上記課題を解決する手段を複数含んでいるが、その一例を挙げるならば、監視通報端末とスマートフォン間においてDTMFを利用した通信プロトコルにより、音声信号によるデータ伝送を行うアプリケーションを用意することで、公衆回線を用いたデータ通報を行う。
【００１３】
このとき音声信号によるデータ通報速度は低速であるが、前述のアプリケーションにスマートフォン間で監視情報を共有する機能を用意することで、通報先が複数存在する場合も、監視通報端末と直接通信を行い、監視情報を取得したスマートフォンから、他のスマートフォンへと携帯電話回線を用いて監視情報の共有を行うことで、各通報先への迅速な通報を実現する。
【発明の効果】
【００１４】
本発明によれば、監視通報端末の回線に公衆回線のみを用いて、スマートフォン等のダイヤルアップ機能を持たない端末へと迅速に監視情報を提供することができる。
【図面の簡単な説明】
【００１５】
【図１】実施例における監視通報システム全体の構成図である。
【図２】実施例における通報発生時の監視通報装置の処理の内容を示す図である。
【図３】実施例における通報発生時の受信側端末２００の処理の内容を示す図である。
【図４】実施例における通報発生時の受信側端末３００と受信側端末４００の処理の内容を示す図である。
【発明を実施するための形態】
【００１６】
本発明の実施例を図面を用いて説明する。図１に本実施例における監視通報システム全体の構成を示す。図1において、監視通報システムは、監視通報装置１００、受信側端末２００、受信側端末３００、受信側端末４００からなる。
【００１７】
監視通報装置１００は上下水道機器等のある現場に設置される装置であり、監視対象となる機器に接続され、当該機器よりデータを取得する。例えば、ポンプ装置等の設備において異常が生じた場合、異常を示すデータが監視通報装置１００に入力される。
【００１８】
また、監視通報装置１００内には、ＣＰＵ１１０、アナログモデム１５０を有し、ＣＰＵ１１０の機能として、監視プロセス１２０、通報伝文作成プロセス１３０、通報プロセス１４０がある。また、受信側端末２００、３００、４００内には、監視通報アプリケーション２１０を有し、当該アプリケーションは受信検出プロセス２２０、ＤＴＭＦ信号変換プロセス２３０、データ集計プロセス２４０、ユーザインターフェイスプロセス２５０、データリンクプロセス２６０の機能がある。受信側端末は例えばスマートフォンのような携帯端末であり、インターネット経由でアプリケーションをダウンロードし、インストールすることが可能である。
【００１９】
監視通報装置１００と受信側端末２００、３００、４００の間は、公衆回線３００、及び携帯回線網３１０にて接続される。また、受信側端末２００と、受信側端末３００と、受信側端末４００の間は携帯回線網３２０にて接続される。
【００２０】
図１においては、監視通報装置１００が現場における異常を示すデータの入力が現場機器よりあった場合には、公衆回線３００と携帯電話回線を経由して受信側端末２００に情報を転送し、さらに受信側端末２００は受信側端末３００、４００へとその情報を転送する監視通報システムを示す。以下図２〜図４にて各装置及び端末の処理内容を説明する。
【００２１】
図２に通報発生時の監視通報装置の処理の内容を示す。監視通報装置１００は、ＣＰＵ１１０上で動作する監視プロセス１２０が監視対象の機器からの通報対象となる信号の取得を確認すると、ＣＰＵ１１０上で動作する通報伝文作成プロセス１３０はＤＴＭＦ形式の通報伝文を作成する。通報プロセス１４０はＣＰＵ１１０内に設定された通報順番に従い、アナログモデム１５０を経由して、受信側端末２００へと通信を行う。
【００２２】
図３に通報発生時の受信側端末２００の処理の内容を示す。受信側端末２００は、監視通報アプリケーション２１０内で動作する受信検出プロセス２２０が監視通装置からの着信を検出すると、ＤＴＭＦ信号変換プロセス２３０により通報伝文の解析を行う。データ集計プロセス２４０は解析された通報伝文を保存し、ユーザインターフェイスプロセス２５０と、データリンクプロセス２６０へ新規データの取得を通知する。ユーザインターフェイスプロセス２５０は、データ集計プロセス２４０からの通知を元に、受信側端末２００に受信通知の表示を行う。データリンクプロセス２６０は、データ集計プロセス２４０からの通知を受け取ると、監視通報アプリケーション２１０に登録された他の受信側端末の情報を元に、受信側端末３００と、受信側端末４００へ解析された通報伝文データの送信を行う。
【００２３】
図４に通報発生時の受信側端末３００と受信側端末４００の処理の内容を示す。受信側端末３００と、受信側端末４００は、それぞれの受信検出プロセス２２０が通報伝文データの受信を検出すると、データ集計プロセス２４０は通報伝文データを保存し、ユーザインターフェイスプロセス２５０へ新規データの取得を通知する。ユーザインターフェイスプロセス２５０は、データ集計プロセス２４０からの通知を元に、受信側端末３００と、受信側端末４００に受信通知の表示を行う。尚、ここには示さないが、他の受信端末を登録しておくことにより、データリンクプロセス２６０にて他の受信端末へ通知データの送信を行うことも可能である。
【図１】
2016225676.tif 000003
【図２】
2016225676.tif 000004
【図３】
2016225676.tif 000005
【図４】
2016225676.tif 000006